(57)【特許請求の範囲】
【請求項１】
板状の実カードで具現されるマルチカードにおいて、
少なくとも一つの決済カード情報をアプレット（applet）形態に保存するセキュアエレメント（Secure Element）；
カード情報とそれぞれマッチングする複数のボタンを含む入力部；及び
利用者端末から、少なくとも一つの会員カード情報及び前記入力部とのマッチング情報を受信し、保存する制御部；
を含み、
前記セキュアエレメントは、前記入力部の選択に応じて前記制御部を通じて活性化された一つの決済カード情報及び一つの会員カード情報を受信し、受信された前記決済カード情報及び前記会員カード情報を含む一つの取引応答情報を生成し、
前記セキュアエレメントは、カードの種類及び取引優先順位情報を含む第１取引応答情報、認証に関する第２取引応答情報、カード番号と有効期間などの情報を含む第３取引応答情報、及び、カード検証結果を含む第４取引応答情報の中のいずれか一つに対して、前記会員カード情報をＴＬＶ（Tag Length Value）形態で追加して、前記一つの取引応答情報を前記ＴＬＶ形態にて生成することを特徴とするマルチカード。
【請求項２】
前記入力部の選択に応じて活性化された一つの決済カード情報及び一つの会員カード情報のうち少なくとも一つの情報を出力する表示部をさらに含む請求項１に記載のマルチカード。
【請求項３】
前記マッチング情報は、利用者端末で駆動するサービスアプリケーションを介して生成され、利用者の設定により、前記少なくとも一つの会員カード情報と前記複数のボタンをそれぞれマッチングさせた情報であることを特徴とする請求項１に記載のマルチカード。
【請求項４】
前記セキュアエレメントは、決済端末のコマンドに対する応答として前記一つの取引応答情報を前記決済端末に送信することを特徴とする請求項１に記載のマルチカード。
【請求項５】
前記会員カード情報は、会員の種類、会員番号の長さ及び会員番号のうちの少なくとも一つの情報を含むことを特徴とする請求項１に記載のマルチカード。
【請求項６】
前記会員カード情報は、会員の種類（２バイト）、会員番号の長さ（１バイト）、及び会員番号を含むＴＬＶ形態で前記取引応答情報に追加されることを特徴とする請求項５に記載のマルチカード。
【請求項７】
前記マッチング情報は、前記利用者端末で駆動するサービスアプリケーションを介して変更又は設定可能であることを特徴とする請求項１に記載のマルチカード。
【請求項８】
板状の実カードで具現されるマルチカードを用いた決済方法であって、
マルチカードのセキュアエレメント（Secure Element）に少なくとも一つの決済カード情報を保存するステップ；
利用者端末から、少なくとも一つの会員カード情報及び入力部とのマッチング（matching）情報を受信し、制御部に保存するステップ；
決済時、前記入力部で生成された選択信号に応じて、一つの決済カード情報及び一つの会員カード情報を活性化するステップ；及び
前記セキュアエレメントが活性化された一つの決済カード情報及び一つの会員カード情報を含む一つの取引応答情報を生成し、決済端末のコマンドに対する応答として端末に伝送するステップ；を含み、
前記セキュアエレメントは、カードの種類及び取引優先順位情報を含む第１取引応答情報、認証に関する第２取引応答情報、カード番号と有効期間などの情報を含む第３取引応答情報、及び、カード検証結果を含む第４取引応答情報の中のいずれか一つに対して、前記会員カード情報をＴＬＶ（Tag Length Value）形態で追加して、前記一つの取引応答情報を前記ＴＬＶ形態にて生成する
決済方法。
【請求項９】
活性化された一つの決済カード情報及び一つの会員カード情報を表示部に表示するステップをさらに含む請求項８に記載の決済方法。
【請求項１０】
前記活性化するステップは、前記入力部で生成された選択信号に応じて、前記セキュアエレメントに保存された少なくとも一つの決済カード情報のうちの一つを活性化するステップ；及び
前記制御部に保存された前記少なくとも一つの会員カード情報のうちの一つを選択し、セキュアエレメントに伝達するステップ；
を含む請求項８に記載の決済方法。
【請求項１１】
前記入力部は、カード情報とそれぞれマッチングする複数のボタンを含み、
前記マッチング情報は、利用者端末で駆動するサービスアプリケーションを介して生成され、利用者の設定により、前記少なくとも一つの会員カード情報と前記複数のボタンをそれぞれマッチングさせた情報であることを特徴とする請求項８に記載の決済方法。
【請求項１２】
前記会員カード情報は、会員の種類、会員番号の長さ及び会員番号のうちの少なくとも一つの情報を含むことを特徴とする請求項８に記載の決済方法。
【請求項１３】
前記会員カード情報は、会員の種類（２バイト）、会員番号の長さ（１バイト）、及び会員番号を含むＴＬＶ形態で前記取引応答情報に追加されることを特徴とする請求項１２に記載の決済方法。
【請求項１４】
前記マッチング情報は、前記利用者端末で駆動するサービスアプリケーションを介して変更又は設定可能であることを特徴とする請求項８に記載の決済方法。
【発明の詳細な説明】
【技術分野】
【０００１】
本発明は、マルチカード及びそれを用いた決済方法に関し、詳しくは、マルチカードに設定された一つ以上のカード情報及び会員情報を利用し、決済と会員サービスを同時に実行可能なマルチカード及びそれを用いた決済方法に関するものである。
【背景技術】
【０００２】
最近、決済市場でモバイル端末機を用いたモバイル決済が普及しているが、まだ、殆どの人たちは、プラスチック形態の実カードを便利と考えており、また商店端末も実カード決済を支援しているので、実際の決済市場で実カードの効用性と便宜性を無視することはできない実状である。
【０００３】
しかし、従来のカードは、発行されるカードの種類毎に別途のプラスチックカードが発行されているので、財布中に複数のカードを同時に所持しなければならない不便があった。例えば、利用者は、財布中に決済のためのクレジットカード、チェックカードの他にも、別のサービスを利用するために会員カード、プリペイドカード又はクーポン（coupon）カードなど多数のカードを共に所持しなければならない不便があった。
【０００４】
このような従来のカード提供方式は、それぞれのサービス別に別途のプラスチックカードを生産しなければならなく、利用者は所持しなければならないカードの数が増え、不便であり、カードを発行するカード会社はプラスチックカードの発行と配送による相当な経費や費用を消耗しなければならないという問題があった。
【０００５】
このような問題点を解決するための技術開発の一環として、特許文献１のマルチスマートカードは、プレートに備えられたタッチスクリーンを操作し、使用しようとするカードを選択して使用できる技術を提案する。しかし、このようなマルチスマートカードは、使用するたびに、カードを操作して所望のカードを選択しなければならない煩雑やタッチスクリーン未動作時にはカードを利用できないという問題がある。
【先行技術文献】
【特許文献】
【０００６】
【特許文献１】韓国  登録特許第１０−１６１３８５５号
【発明の概要】
【発明が解決しようとする課題】
【０００７】
本発明は、複数枚のカードを所持しなければならない不便を解決し、決済と会員サービスを同時に処理可能なマルチカード及び方法を提案する。
【課題を解決するための手段】
【０００８】
本発明の一側面は、マルチカードであって、少なくとも一つの決済カード情報をアプレット（applet）形態に保存するセキュアエレメント（Secure Element）；カード情報とそれぞれマッチングする複数のボタンを含む入力部；及び利用者端末から、少なくとも一つの会員カード情報及び前記入力部とのマッチング情報を受信し、保存する制御部；を含み、前記セキュアエレメントは、前記入力部の選択に応じて活性化された一つの決済カード情報及び一つの会員カード情報を含む取引応答情報を生成することを特徴とする。
【０００９】
実施例として、マルチカードは、入力部の選択に応じて活性化された一つの決済カード情報及び一つの会員カード情報のうちの少なくとも一つの情報を出力する表示部をさらに含む。マッチング情報は、利用者端末で駆動するサービスアプリケーションを介して生成され、利用者の設定により、前記少なくとも一つの会員カード情報と前記複数のボタンをそれぞれマッチングさせた情報であってもよい。また、セキュアエレメントは、活性化された一つの決済カード情報及び一つの会員カード情報を取引応答情報に含めて決済端末に送信することができる。
【００１０】
本発明の他の側面は、マルチカードを用いた決済方法であって、マルチカードのセキュアエレメント（Secure Element）に少なくとも一つの決済カード情報を保存するステップ；利用者端末から、少なくとも一つの会員カード情報及び入力部とのマッチング情報を受信し、制御部に保存するステップ；決済時、前記入力部で生成された選択信号に応じて、一つの決済カード情報及び一つの会員カード情報を活性化するステップ；及び前記セキュアエレメントが活性化された一つの決済カード情報及び一つの会員カード情報を含む取引応答情報を生成し、決済端末に伝送するステップ；を含む。
【発明の効果】
【００１１】
本発明によれば、従来の決済システムを変更することなく、利用者のマルチカードを用いた決済と積算を同時に処理することができるという利点がある。また、本発明のマルチカードは、一つ以上の決済カード情報及び会員カード情報を保存し、それぞれのカード情報を入力部とマッチングして保存することによって、一枚のカードで決済と会員サービスを共に処理することができるという利点がある。
【００１２】
本発明の決済方法によれば、取引応答情報にクレジットカード情報及び会員カード情報を含めて決済端末に伝達することにより、会員サービス処理のための追加の行為なしに一度のＩＣカード判読で決済及び会員サービスを同時に行う効果がある。
【００１３】
さらに、従来には決済後の会員サービスを受けるために、別途の会員カードを提示するか、電子カードの場合、バーコード、ＱＲコードなどを出力して提示しなければならない煩雑があったが、このような問題を解決し、会員カード情報の出力及び認識ステップを省略でき、利用者の便宜性を最大化する利点がある。
【図面の簡単な説明】
【００１４】
【図１】本発明の一実施例によるマルチカードを用いた決済システムを示す図である。
【図２】本発明の一実施例によるマルチカードの構成要素を示す図である。
【図３】本発明の一実施例によるマルチカードの会員カード情報発行方法を説明するための図である。
【図４】本発明の一実施例によるマルチカードを用いた決済方法を説明するための図である。
【発明を実施するための形態】
【００１５】
本明細書に開示されている本発明概念による実施例に対して特定の構造的又は機能的説明は、単に本発明概念による実施例を説明する目的のために例示されたものであり、本発明概念による実施例は、様々な形態に実施することができ、本明細書に説明された実施例に限定されない。
【００１６】
本発明概念による実施例は、多様な変更を加えることができ、様々な形態を有してもよいので、実施例を図に例示して本明細書で詳細に説明する。しかし、これは本発明概念による実施例を特定の開示形態を限定しようとするものではなく、本発明の思想及び技術範囲に含まれる全ての変更、均等物、又は代替物を含む。
【００１７】
用語「第１」又は「第２」等の用語は、多様な構成要素を説明するために使用される。前記構成要素は、前記用語によって限定されてはいけない。前記用語は、一つの構成要素を他の構成要素から区別する目的のみに、例えば、本発明概念による権利範囲から逸脱しないまま、第１構成要素は第２構成要素と命名されてもよく、同様に第２構成要素は第１構成要素と命名されてもよい。
【００１８】
特定の構成要素が他の構成要素に「連結」又は「接続」されていると言及されたときには、その他の構成要素に直接的に連結されているか、又は接続されていてもよいが、中間に別の構成要素が存在してもよいと理解されるべきである。反面、特定の構成要素が他の構成要素に「直接連結」又は「直接接続」されていると言及されたときには、中間に別の構成要素が存在しないと理解されるべきである。構成要素間の関係を説明する他の表現、つまり、「〜間に」と「直ぐに〜間に」又は「〜に隣接する」と「〜に直接隣接する」等も同様に解釈すべきである。
【００１９】
本明細書で使用した用語は、単に特定の実施例を説明するために使用されたものであり、本発明を限定しようとする意図ではない。単数の表現は文脈上明らかに越の意味ではない限り、複数の表現を含む。本明細書で、「含む」又は「有する」等の用語は、本明細書に記載された特徴、数字、ステップ、動作、構成要素、部分品又はこれらを組み合わせたものが存在することを指定しようとするものであって、一つ又はそれ以上の他の特徴や数字、ステップ、動作、構成要素、部分品又はこれらを組み合わせたものなどの存在又は付加の可能性を予め排除しない。
【００２０】
別の方法で定義されない限り、技術的や科学的な用語を含め、ここで使用される全ての用語は、本発明が属する技術分野で通常の知識を有した者によって一般的に理解されるものと同じ意味を示す。一般的に使用される事前に定義されているような用語は、関連技術の文脈上有するもの意味と一致する意味を有すると解釈されるべきであり、本明細書で明白に定義しない限り、理想的や過度に形式的な意味として解釈されない。
【００２１】
なお、多数の図面において、同じ参照番号は同じ構成要素を付する。
なお、「ＶＩＳＡ」「ＭａｓｔｅｒＣａｒｄ」「ＡＭＥＸ」「Ｍｉｃｒｏ  ＳＤ」「ＱＲコード」は登録商標である。
【００２２】
図１は、本発明の一実施例によるマルチカードを用いた決済システムを示す図である。図１を参照すれば、本発明の決済システムは、利用者端末１１０、マルチカード２１０、決済端末３１０及びサービスサーバ４１０を含む。
【００２３】
利用者端末１１０は、利用者が所持するスマートデバイスであり、利用者端末１１０は、携帯電話、スマートフォン（smart phone）、スマートパッド（smart pad）、ノートブックコンピュータ（notebook computer）、デジタル放送用端末機、ＰＤＡ（Personal Digital Assistants）、ＰＭＰ（Portable Multimedia Player）、ナビゲーション、タブレットＰＣ及びスマートウォッチ、スマートバンドのような多様なウェアラブルデバイスなどを含むが、これに限定されな。無線通信が可能な通信機能と、決済サービスを実行できる別途のアプリケーションを備える多様な形態の装置であってもよい。
【００２４】
利用者端末１１０は、サービスサーバ４１０から提供されるサービスアプリケーションを設置及び駆動することができる。利用者端末１１０は、アプリケーションマーケット（例えば、アプリストア又はグーグルプレイマーケットなど）でサービスアプリケーションをダウンロードすることができる。一実施例として、決済のためのセキュリティーアプリケーションを共に設置することができる。利用者端末１１０は、サービスアプリケーションを利用し、マルチカード２１０と無線接続してもよく、マルチカード２１０に保存されるカード情報を入力部ボタンとそれぞれマッチングするように設定することができる。
【００２５】
マルチカード２１０は、板状の実カードであり、ＩＣチップを備え、複数の決済手段に対する情報を保存することができる。一実施例として、マルチカード２１０は、多様なカード会社から発行される決済手段に必要なカード情報及び多様な会員カード情報をＩＣチップに保存することができる。このとき、カード情報はＣＯＳ（Card OS）に保存されるか、アプレット（applet）形態に保存され得る。
【００２６】
一実施例として、マルチカード２１０は、発行時、クレジットカード情報に該当する信用アプレットが発行されていてもよく、信用アプレットは、一つ以上保存され得る。例えば、マルチカード２１０は、ＶＩＳＡカードである場合、ＶＩＳＡカードアプレットのみを含んでいてもよく、ＶＩＳＡの他に、ＡＭＥＸカードが発行された場合、ＶＩＳＡとＡＭＥＸがそれぞれ入力部２９０のボタンに割り振られて保存され得る。クレジットカード情報は、固定されているか、利用者により変更されるように具現され得る。他の実施例として、マルチカード２１０は、利用者端末１１０を介して一つ以上のクレジットカード情報を受信し、入力部２９０とマッチングして保存することができる。
【００２７】
一実施例として、マルチカード２１０は、利用者端末１１０を介して会員カード情報を受信し、保存することができる。会員カード情報は、クレジットカード情報及び入力部とマッチングされ保存されてもよく、クレジットカード情報と関係なく個別的に入力部にマッチングされ保存されてもよい。
【００２８】
また、マルチカード２１０は、接触式又は非接触式方式で外部の端末と通信を行うことができる。具体的に、ＩＣチップは、カードリーダーと接触式で通信を行うか、電力を授受することができ、アンテナを介して無線信号を受信し、生成された電源に基づいて非接触式で動作することもできる。本発明の一実施例によるマルチカード２１０は、セキュアエレメント（Secure Element）のＩＣチップだけでなく、表示部、入力ボタン、ＭＣＵなどをさらに含むことができる。マルチカード２１０の構成及び動作については、図２を参照して詳細に説明する。
【００２９】
決済端末３１０は、加盟店主が所持した決済端末機であり、マルチカード２１０を判読可能なＩＣターミナルを含む、ＰＯＳ（Point-of-Sale）システム、ＣＡＴ（Credit authorization terminal）、ＮＦＣ（Near Field Communication）端末など多様な形態の決済端末を含む。
【００３０】
一実施例として、決済端末３１０は、別途の端末（例えば、スキャナなど入力装置とディスプレイ装置を備えた電子装置）で具現されるか、商店が保有したＰＣ又は社員のモバイル端末にソフトウェアで具現されるなど多様な形態の電子装置であってよい。決済端末３１０は、利用者端末と同様に、加盟店主や従業員の携帯電話、スマートフォン（smart phone）、スマートパッド（smart pad）、ノートブックコンピュータ（notebook computer）、デジタル放送用端末機、ＰＤＡ（Personal Digital Assistants）、ＰＭＰ（Portable Multimedia Player）、ナビゲーション、タブレットＰＣ及びスマートウォッチ、スマートバンドのような多様なウェアラブルデバイスなどを含むことができる。
【００３１】
本発明の一実施例による決済端末３１０は、クレジットカード取引時、会員カードのように決済可能な決済端末であり、決済時、カード情報とともに会員カード情報を受信し、処理することができる。一実施例として、会員カード情報は、従来のクレジットカードの取引応答情報に含まれ伝達されてもよく、他の実施例として、追加取引応答情報を通じて伝達されてもよい。本発明の決済端末３１０は、会員カード情報を含む取引応答情報を受信し、処理サーバに送信することができる。
【００３２】
サービスサーバ４１０は、本発明のマルチカード決済システムを支援するためのサービスアプリケーションを提供する。利用者は、利用者端末１１０にサービスアプリケーションを設置し、無線通信（例えば、ＮＦＣ、ＢＬＥ）を介してマルチカード２１０と利用者端末１１０とを無線接続することができる。利用者端末１１０は、サービスアプリケーションを介して、マルチカード２１０に保存されるカード情報を編集、保存、管理することができる。例えば、利用者は、利用者端末１１０のサービスアプリケーションを介して接続された利用者カードに対し、複数の入力部ボタンに複数のカード情報をそれぞれ連結するように設定し、設定完了後、設定情報をマルチカード２１０に伝送することができる。このようなマルチカード設定方法については、図２〜４を参照して詳細に説明する。
【００３３】
本発明によるマルチカード決済システムによれば、従来の決済システムを変更することなく利用者のマルチカードを用いた決済と積算を同時に処理することができるという利点がある。また、本発明のマルチカードは、一つ以上のクレジットカード情報が保存されたマルチカードに、利用者端末を介して会員カード情報を発行することによって、決済と会員サービスを同時に行うことができる。
【００３４】
図２は、本発明の一実施例によるマルチカード２１０の構成要素を示した図である。マルチカード２１０は、セキュアエレメント２３０、制御部２５０、表示部２７０、入力部２９０を含み、図示していないが、これに限定されなく、アンテナ、バッテリーなどマルチカードの実現に必要な構成要素をさらに含むことができる。前述したように、マルチカード２１０は、利用者端末１１０と有無線通信を介して接続することができ、利用者端末１１０で駆動するサービスアプリケーションを介してカード情報と入力部のキーボタンをマッチングさせ、設定及び保存することができる。
【００３５】
本発明によるセキュアエレメント（Secure Element又はＳＥ）（２３０）は、ＵＩＣＣ（Universal Integrated Circuit Card）、埋め込みＳＥ（ｅＳＥ）及びｍｉｃｒｏ  ＳＤを含むことができる。セキュアエレメント２３０は、図１を参照して説明したＩＣチップの形態で具現され得る。セキュアエレメント２３０は、自主的な暗号化システムを備えており、マルチカード２１０の動作を管理する制御部２５０とも分離され、ハッキングに強く、保安性が高い。セキュアエレメント２３０には、決済手段に関するカード情報及びこれと連係された複数のアプリケーションプログラムが保存され得る。一実施例として、セキュアエレメント２３０は、ジャバ基盤のプラットフォームで実行されるアプレット形態でカード情報を保存することができる。
【００３６】
例えば、セキュアエレメント２３０は、ビザ（ＶＩＳＡ）、マスターカード（Ｍａｓｔｅｒ ｃａｒｄ）、アメックス（ＡＭＥＸ）のカード情報（例えば、ブランド名及びカード番号）をカード管理アプレット（Card Manage Applet）に発行し、カード管理アプレットに発行されるカード情報を制御部２５０に伝達し、入力部２９０のボタンとマッチングさせることができる。セキュアエレメント２３０は、カード情報の他にも会員カード（例えば、ポイントカード、割引又は積算カードなど）情報も保存することができる。
【００３７】
セキュアエレメント２３０は、マルチカード２１０に保存された一つ以上のカード情報のうちの入力部２９０により活性化された一つのカード情報を利用し、ＩＣカード取引を行うことができる。この時、活性化されたカード情報の外に、他のカード情報は非活性化状態であってもよい。また、本発明によれば、マルチカード２１０は、ＩＣカード取引時、セキュアエレメント２３０を介して決済カード情報（例えば、クレジットカード情報）と会員カード情報を共に決済端末に伝送することができる。このようなカード取引については図４を参照して詳細に説明する。
【００３８】
制御部２５０は、マルチカード２１０を形成する上部カバーシートと下部カバーシートと間に介在された印刷回路又はチップ形態のＭＣＵ（Micro Controller Unit）を含むことができる。制御部２５０は、保存手段を備え、入力部２９０とマッピングされた決済手段を管理することができる。一実施例として、利用者は、マルチカード２１０と利用者端末１１０とを無線接続し、サービスアプリケーションを介して会員カード情報と入力部２９０のボタンをマッチングさせることができる。制御部２５０は、利用者端末１１０からマッチング情報を受信し、保存することができる。受信された会員情報及びマッチング情報は、制御部２５０又はセキュアエレメント２３０に保存され得る。
【００３９】
制御部２５０は、既設定時間の間、入力部２９０から選択信号の受信を待機することができ、既設定時間の間、入力部２９０の入力がない場合に、スリープモードに進入することができる。スリープモードに進入することにより、マルチカードの電源が消耗することを防止することができる。
【００４０】
入力部２９０は、利用者からカード又は決済情報の入力を受けるための入力装置であり、ボタン、キーパッド、数字パッド、タッチパッドなど多様な形式の入力装置を含む。一実施例として、保存可能なカード情報に対応される個数のボタンで構成され得る。例えば、マルチカード２１０は、図２に示されたように、決済カード情報２つと対応されるボタン２つを備え、会員カード情報２つと対応されるボタン２つを備えるように具現され得る。このとき、利用者は、予めマッチングされたボタン（キーパッド）を押し、所望のカード情報を選択することができる。
【００４１】
表示部２７０は、カード情報又は状態情報を表示するための表示部であり、白黒又はカラーＬＣＤ（Liquid Crystal Display）、ＬＥＤ（Light Emitting Display）、ＥＰＤ（Electronic Paper Display）等を含み、視覚的に情報を表示できる構成要素を含む。一実施例として、表示部２７０は、入力部２９０を介して選択された決済手段を識別する情報を表示することができる。例えば、利用者は、入力部２９０を介して選択をした場合に、どの決済手段が選択されたかが分からない。従って、マルチカード２１０は、利用者に選択をはじめとする動作に対するフィードバックのために表示部２７０を備え、利用者が選択した決済手段を識別する情報を表示し、利用者の選択結果を確認できるようにする。
【００４２】
例えば、表示部２７０は、利用者が第１決済カードと第１会員カードを選択した場合、該当カード名とカード番号を表示部２７０に出力することができる。但し、本発明の一実施例によるマルチカード決済システムは、決済時、取引命令を通して決済カード情報と会員カード情報が共に伝送されるように具現されるので、別途に会員カード情報をバーコード又はＱＲコードのような別途のコードイメージとして出力する必要がない。即ち、会員カード情報は、ＩＣ決済時、共に伝送されるので、別途の判読のためにカードに出力される必要がない。例えば、表示部２７０は、利用者識別のために決済カード名と会員カード名だけが出力されるように実現することができる。このような本発明によれば、一度の決済行為のみで決済と会員サービス（積算又は割引）を同時に行うことができる。
【００４３】
また、一実施例として、表示部２７０は、設定された決済手段がどの決済手段であるかを表示し、マルチカード２１０の状態情報（設定誤り、スリープ、電源ＯＮ／ＯＦＦ、決済応答）をはじめとして、ＯＴＰ番号、カード認証情報（有効期間、ＣＶＣ番号）等を表示するなど多様な情報をさらに表示することができる。
【００４４】
このように、本発明のマルチカード２１０は、一つ以上の決済カード情報及び会員カード情報を保存することができ、それぞれのカード情報を入力部２９０のキーパッドとマッチングして保存し、一枚のカードで決済と会員サービスを共に処理することができるという利点がある。
【００４５】
図３は、本発明の一実施例によるマルチカードの会員カード情報発行方法を説明するためのものである。マルチカード２１０は、利用者端末１１０のサービスアプリケーションと連動し、マルチカード２１０に保存するカード情報を受信ことができる。本実施例では、マルチカード２１０にクレジットカード情報がカード発行時、予め発行されており、利用者端末１１０を介して会員カード情報を受信する実施例を中心に説明する。しかし、このような実施例に限定されなく、クレジットカード情報もまた、利用者端末１１０を介して発行されるように具現され得る。
【００４６】
まず、マルチカード２１０は、近距離無線通信（例えば、ＮＦＣ、ＢＬＥなど）を介して利用者端末１１０と無線接続することができる（Ｓ３１０）。機器が連結されれば、マルチカード２１０の制御部２５０は、利用者端末１１０で会員カード発行要請信号を送信することができる（Ｓ３２０）。利用者端末は、カード発行要請信号を受信した後、利用者端末１１０に保存された会員カード情報の発行プロセスを開始することができる。一実施例として、会員カード情報は、予め利用者端末１１０に保存されているか、又はリアルタイムで入力装置（カメラ、キーパッドなど）を介して入力され得る。また、他の実施例として、利用者端末１１０がサービスサーバ４１０を介して、利用者のアカウント情報に基づき、発行可能な会員情報を収集した後、利用者に提示することもできる。
【００４７】
利用者は、サービスアプリケーションを介して利用者端末１１０に保存された会員カード情報とマルチカードの入力部２９０ボタンをマッチングするように設定することができる（Ｓ３３０）。例えば、会員カード番号１は第１番ボタンに、会員カード番号２は第２番ボタンにマッチングするように設定することができる。利用者は、サービスアプリケーションを介してカード-ボタン間マッチング情報を変更することができる。
【００４８】
利用者の発行設定が完了すれば、利用者端末１１０は、マルチカード２１０に会員カード情報及びマッチング情報を送信する（Ｓ３４０）。このとき、マルチカード２１０に伝達されるデータは、会員カードのカード番号、会員優待情報又はマッチング情報を含む。制御部２５０はカード情報を受信して保存する。他の実施例として、カード情報は制御部２５０を経て、保安性が高いセキュアエレメント２３０に保存され得る（Ｓ３４５、Ｓ３５０）。
【００４９】
図４は、本発明の一実施例によるマルチカードを用いた決済方法を説明するための図である。利用者は、マルチカード２１０の入力部２９０ボタンを利用して決済するカード及び会員カードを選択することができる。本実施例では、クレジットカードを中心に説明するが、これに限定さなく、チェックカード、ギフトカードなど多様な決済カードを利用することができる。
【００５０】
利用者は、クレジットカード選択ボタンを押して使用しようとするクレジットカードを選択することができる（Ｓ４１０）。選択行為がない場合、既選択されたクレジットカードで決済が進行され得る。前述したように、クレジットカード情報は、カード発行時、マルチカード２１０に発行された一つ以上のカード情報を含む。利用者は、会員カード選択ボタンを押して使用しようとする会員カード情報を選択することができる（Ｓ４２０）。会員カード情報は、利用者端末１１０を介して受信した一つ以上の会員カード情報を指し、利用者端末１１０を介して入力部２９０のボタンにそれぞれマッチングされた形態に保存され得る。クレジットカードと同様に、選択行為がない場合、既選択された会員情報で決済を進めることができる。
【００５１】
一実施例として、会員カード情報は、セキュアエレメント２３０に予め保存された値を読み込むときができる。他の例として、会員カード情報は、制御部にセッティングされたカード情報をリアルタイムで持ってくるように具現され得る。
【００５２】
利用者が、入力部２９０を介して決済するクレジットカード及び会員カードを選択すれば、選択された情報をセキュアエレメント２３０に伝達する（Ｓ４３０）。一実施例として、クレジットカード情報が一つの場合、制御部２５０は、選択された会員カード情報だけをセキュアエレメント２３０に伝達する。他の実施例として、クレジットカード情報が複数個のとき、制御部２５０は選択されたクレジットカード情報及び会員カード情報を共にセキュアエレメント２３０に伝達することができる。カード情報は、制御部２５０とセキュアエレメント２３０と間の相互通信を介して伝達され、例えば、Ｉ２Ｃ、ＳＰＩなどの複数種類の方式を使用することができる。
【００５３】
セキュアエレメント２３０は、制御部２５０から受信した情報に基づいて、選択されたカード情報のみを活性化する（Ｓ４４０）。例えば、クレジットカードはＶＩＳＡカード、会員カードは、会員カード番号１が選択された場合、ＶＩＳＡと会員カード番号１だけを活性化し、取引応答情報生成時に、ＶＩＳＡカード番号と会員カード番号１の情報だけを入れることができる。このとき、残りのカード情報は、非活性化状態を維持する。
【００５４】
一方、マルチカード２１０の制御部２５０は、選択されたカード情報を表示部２７０に表示する。これは利用者に、自分が選択したカード情報を確認するようにするためのものであり、カードを識別するためのブランド名、ロゴなどで出力することができる。従来の先行技術は、会員カード情報の場合、カード番号、バーコード又はＱＲコード方式で表示し、決済端末のリーダーを介して認識するように実現した。しかし、本発明の決済システムは、会員カード情報を確認のための目的で表示するのみであるので、カード番号、バーコードを必須的に出力する必要なしに、識別のためのブランド名、ロゴ、ニックネームなど簡単な表示で出力することができる。
【００５５】
利用者が、選択されたカード情報を確認後、決済者に提示すれば、決済者は決済端末３１０を利用して決済を行う。決済端末３１０は、マルチカード２１０をＩＣターミナル（スロット）に挿入し、クレジットカード取引を行うことができる（Ｓ４７０、Ｓ４８０）。本発明は、取引応答情報に会員情報を含むことによって、カードをＩＣターミナル又は磁気ストリップに複数回挿入するか、決済する必要を要さず、１回のＩＣターミナル挿入のみで決済と会員サービスを共に処理することができる。
【００５６】
一実施例として、セキュアエレメント２３０は、選択カード情報を利用して取引応答（Response）情報を生成することができる（Ｓ４５０）。例えば、従来クレジットカードの取引応答情報にクレジットカード情報と会員カード情報を共に含んで生成することができる。
【００５７】
マルチカード２１０は、決済端末３１０との情報送受信を通してカード取引を行うが、決済端末３１０が送信するコマンドに対する応答として、マルチカード２１０が取引応答情報を送信する。マルチカード２１０が応答する情報は、全部ＴＬＶ（Tag Length Value）形態に保存されるが、このとき、取引応答情報に会員カード情報をＴＬＶ形態に追加して決済端末３１０に伝送することができる。例えば、取引応答情報は、カードの種類及び取引優先順位情報を含む第１取引応答情報（例えば、Ｓｅｌｅｃｔ命令に対するＦＣＩ応答）、認証に関する第２取引応答情報（例えば、ＧＰＯ命令に対する認証情報応答）、及びカード番号と有効期間などの情報を含む第３取引応答情報（例えば、Ｒｅａｄ  Ｒｅｃｏｒｄ命令に対する応答）、カード検証結果を含む第４取引応答情報（例えば、Ｇｅｎｅｒａｔｅ  ＡＣ命令（承認要請）に対する応答）を含んでもよく、前記応答情報のいずれか一つに会員カード情報を追加することができる。このような取引応答情報伝送は、取引規格（例えば、ＥＭＶ）に違背しない形態であるので、従来のシステム変更なしに利用可能となる。
【００５８】
一実施例として、会員カード情報は、会員の種類、会員番号を含む。会員カード情報データは、会員の種類（２バイト）、会員番号の長さ（１バイト）及び会員番号を含むＴＬＶ形態データで具現され得る。
【００５９】
決済端末３１０は、マルチカード２１０のセキュアエレメント２３０から取引応答情報を受信し、取引応答情報に含まれたクレジットカード情報及び会員カード情報を判読することができる。一実施例として、決済端末３１０は、判読結果によりクレジットカード発行社サーバにクレジットカード取引承認要請を送信し、会員発行社サーバに会員優待サービス承認要請を送信することができる。
【００６０】
このように、本発明の決済方法によれば、一つの取引応答情報にクレジットカード情報及び会員カード情報を共に含めて決済端末に伝達することにより、会員サービス処理のための追加行為なしで、１回のＩＣカード判読で決済及び会員サービスを同時に行う効果がある。
【００６１】
従来には、決済後、会員サービスを受けるために、別途の会員カードを提示したり、電子カードの場合、バーコード、ＱＲコードなどを出力して提示したりしなければならない煩雑があった。本発明は、このような問題を解決することによって、会員カード情報の出力及び認識ステップを省略することができ、利用者の便宜性を最大化する利点がある。
【００６２】
以上では、本発明について図面に示された好ましい実施例を中心にして詳細に調べた。このような実施例は、この発明を限定しようとするものではなく、例示的なものに過ぎず、限定的な観点ではなく説明的な観点で考慮されなければならない。本発明の真の技術的保護範囲は、前述した説明ではなく添付の特許請求範囲の技術的思想によって決まるべきである。本明細書に特定の用語が使用されたが、これは単に本発明の概念を説明するための目的で使用されたものであり、意味限定や特許請求範囲に記載された本発明の範囲を制限するために使用されたものではない。本発明の各ステップは、必ずしも記載された順に従う必要はなく、並列的、選択的又は個別的に実行され得る。本発明が属する技術分野における通常の知識を有した者は、特許請求範囲で請求する本発明の本質的な技術思想から逸脱しない範囲で多様な変形形態及び均等な他の実施例が可能であることを理解するだろう。均等物は、現在の公示された均等物だけでなく将来に開発される均等物、即ち、構造と関係がなく同じ機能を遂行するように発明された全ての構成要素を含むものとして理解しなければならない。
【図１】
0006987979.tif 000002
【図２】
0006987979.tif 000003
【図３】
0006987979.tif 000004
【図４】
0006987979.tif 000005